(57)【特許請求の範囲】
【請求項１】
屈折率が相互に異なる複数個のレイヤーが積層されて光を選択的に透過させる反射偏光シートと、
上部へ行くほど横断面積が減少する第１単位集光体が連続的に繰り返される第１構造化パターンを有し、上記第１単位集光体の上側端部が上記反射偏光シートの下部で横方向に第１幅の境界面を有するように接合される第１集光シートと、
上記反射偏光シートの上面に位置し、上記反射偏光シートを透過して伝達される光を拡散させる複数個のパーティクルを有するコーティング層と、を含み、
上記複数個のパーティクルは、最大直径が上記第１幅より相対的に小さく形成されることを特徴とする反射偏光モジュール。
【請求項２】
上記コーティング層は、
上面に突出して形成された複数個の拡散パターンが形成され、上記反射偏光シートを透過して伝達される光を拡散させることを特徴とする請求項１に記載の反射偏光モジュール。
【請求項３】
上記拡散パターンは、
不均一に形成され、それぞれの横方向による幅が上記第１幅より相対的に小さく形成されることを特徴とする請求項２に記載の反射偏光モジュール。
【請求項４】
上記パーティクルは、
上記コーティング層と屈折率が異なる材質で構成されることを特徴とする請求項１に記載の反射偏光モジュール。
【請求項５】
一側に光源が備えられて上記光源から発生される光を伝達する導光板と、
上記導光板の下面に積層され、上記導光板を通過して伝達される光を上部に反射する反射板と、
上記導光板の上部に積層され、下部から伝達される光を均一に拡散させる拡散シート、及び上記拡散シートの上部に結合され、上部へ行くほど横断面積が減少する第２単位集光体が連続的に繰り返される第２構造化パターンを有する第２集光シートを含む光学モジュールと、
屈折率が相互に異なる複数個のレイヤーが積層されて光を選択的に透過させる反射偏光シート、下部から上部へ行くほど横断面積が減少する第１単位集光体が連続的に繰り返される第１構造化パターンを有し、上記第１単位集光体の上側端部が上記反射偏光シートの下部で横方向に第１幅の境界面を有するように接合される第１集光シート、及び上記反射偏光シートの上面に位置し、上記反射偏光シートを透過して伝達される光を拡散させる複数個のパーティクルを有するコーティング層を含む反射偏光モジュールと、を有し、
上記複数個のパーティクルは、最大直径が上記第１幅より相対的に小さく形成されることを特徴とするバックライトユニット。
【発明の詳細な説明】
【技術分野】
【０００１】
本発明は、別途のパーティクルが備えられた反射偏光モジュール及びこれを備えたバックライトユニットに係り、より詳しくは、特定偏光の光だけを透過させる反射偏光シートに別途のパーティクルが備えられたコーティング層を備えて集光される光を拡散させる反射偏光モジュール及びこれを備えたバックライトユニットに関する。
【背景技術】
【０００２】
近年、平板ディスプレイパネルの使用が拡がっていて、その代表として液晶ディスプレイ装置がある。
【０００３】
一般に、上記液晶ディスプレイ装置（ＬＣＤ）は、従来のブラウン管方式（ＣＲＴ）と違い、画面全体に均一な光を提供するバックライトユニットが必要である。
【０００４】
具体的に、バックライトユニットは、液晶ディスプレイ装置の後面で均一な光を提供する構成であって、光源であるＬＥＤが導光板の一側面に配置されていて、導光板は下面に反射板が備えられて光源から出射された光を上部に伝達するように構成される。
【０００５】
そして、このように構成された状態で光源によって発生された光は、導光板及び反射板によって上部に伝達されるし、伝達された光は再び集光シートを通して均一に上部に移動する。
【０００６】
上記集光シートは一般的なプリズムが形成されたシートが適用されてもよい。
【０００７】
同時に、集光シートの上部には別途の反射偏光シートが備えられる場合、液晶ディスプレイ装置の輝度を上昇することができる。
【０００８】
このように、バックライトユニットは、側面に備えられた光源から発生された光が導光板及び反射板によって上部に伝達され、伝達された光は再び集光シートを通して均一に集光されるように構成される。
【０００９】
一方、バックライトユニットで反射偏光シートを備える場合、液晶ディスプレイ装置の輝度を上昇させることができるため多く使われているが、複数個のプリズムを有する集光シートと反射偏光シートの接合時、傾斜面を有するプリズムの上側端部が接合面を形成して消失される。
【００１０】
このように、プリズムの上側端部が消失して反射偏光シートとの接合面を形成して接合されることにより、反射偏光シートと集光シートが安定的に接合状態を保つことができる。
【００１１】
しかし、このように集光シートの上側端部が反射偏光シートと接合によって消失することにつれ、接合面を形成した部分は傾斜面が消え、これによって集光シートが下部から伝達される光を集光する効率が低減される。
【００１２】
特に、反射偏光シートとプリズムが接合された接合面を通して光が透過される場合、接合面のラインが視認されたり、多層薄膜で構成された反射偏光シートの光干渉現象によるカラーシフト（ｃｏｌｏｒ ｓｈｉｆｔ）現象が発生し、ディスプレイ画面の品質が低下する問題が発生し、液晶パネルとの光干渉による意図しないモアレ現象が発生する。
【発明の概要】
【発明が解決しようとする課題】
【００１３】
本発明の技術的課題は、背景技術で言及した問題点を解決するためのもので、反射偏光シートにパーティクルが備えられた別途のコーティング層を備え、反射偏光シートを透過した光を拡散させてプリズムとの接合ラインが発生しないようにし、接合ラインによって発生するモアレ現象を防止するパーティクルが備えられた反射偏光モジュール及びこれを備えたバックライトユニットを提供することである。
【００１４】
また、プリズムの上側端部が反射偏光シートの下面との接合によって消失する部分を最小化することで、輝度の低下が発生することを防止できる反射偏光モジュール及びこれを備えたバックライトユニットを提供することである。
【００１５】
本発明がなそうとする技術的課題は、以上で言及した技術的課題に制限されるものではなく、言及されていない別の技術的課題は、以下の記載から本発明が属する技術分野における通常の知識を有する者に明確に理解される。
【課題を解決するための手段】
【００１６】
上記のような課題を解決するために、本発明の一側面による反射偏光モジュールは、屈折率が相互異なる複数個のレイヤーが積層されて光を選択的に透過させる反射偏光シート、上部へ行くほど横断面積が減少する第１単位集光体が連続的に繰り返される第１構造化パターンを有し、上記第１単位集光体の上側端部が上記反射偏光シートの下部で横方向に第１幅を有するように接合される第１集光シート、及び上記反射偏光シートの上面に位置し、上記反射偏光シートを透過して伝達される光を拡散させる複数個のパーティクルを有するコーティング層を含み、上記複数個のパーティクルのうち、少なくとも一部は直径が上記第１幅より相対的に小さく形成されることを特徴とする。
【００１７】
また、上記コーティング層は、上面に突出して形成された複数個の拡散パターンが形成され、上記反射偏光シートを透過して伝達される光を拡散させることを特徴とする。
【００１８】
また、上記拡散パターンは不均一に形成され、それぞれの横方向による幅が上記第１幅より相対的に小さく形成されることを特徴とする。
【００１９】
また、上記反射偏光シートの下面に位置し、上記第１単位集光体の上側端部が横方向に第２幅位の境界面を有するように埋め込まれて接合される接着層をさらに含み、上記複数個のパーティクルのうち、少なくとも一部は直径が上記第２幅より相対的に小さく形成されることを特徴とする。
【００２０】
また、上記接着層は不均一な複数個の接合パターンを有し、上記反射偏光シートの下面に位置することを特徴とする。
【００２１】
また、上記接着層に形成された上記接合パターンの横方向による直径が上記第２幅より相対的に小さく形成されることを特徴とする。
【００２２】
また、上記接着層は内部に複数個の上記パーティクルが備えられることを特徴とする。
【００２３】
また、上記パーティクルは上記コーティング層と屈折率が異なる材質で構成されることを特徴とする。
【００２４】
また、上記第１構造化パターンは、垂直断面上で、各上記第１単位集光体の最下端部から最上端部に至る垂直距離が不均一に構成されることを特徴とする。
【００２５】
また、上記第１構造化パターンは、第１単位集光体が長く延長された形態で繰り返して形成され、延長方向に沿って高さが変化することを特徴とする。
【００２６】
一方、上記課題を解決するための本発明の他の側面によるバックライトユニットは、一側に光源が備えられて上記光源から発生する光を伝達する導光板、上記導光板の下面に積層されて上記導光板を通過して伝達する光を上部に反射させる反射板、上記導光板の上部に積層されて下部から伝達される光を均一に拡散させる拡散シート、及び上記拡散シートの上部に結合され、上部へ行くほど横断面積が減少する第２単位集光体が連続的に繰り返される第２構造化パターンを有する第２集光シートを含む光学モジュール、及び屈折率が相互異なる複数個のレイヤーが積層されて光を選択的に透過させる反射偏光シート、上記反射偏光シートの下部から上部へ行くほど横断面積が減少する第１単位集光体が連続的に繰り返される第１構造化パターンを有し、上記第１単位集光体の上側端部が上記反射偏光シートの下部で横方向に第１幅を有するように接合される第１集光シート、及び上記反射偏光シートの上面に位置し、上記反射偏光シートを透過して伝達される光を拡散させる複数個のパーティクルを有するコーティング層を含む反射偏光モジュールを有し、上記複数個のパーティクルのうち、少なくとも一部は直径が上記第１幅より相対的に小さく形成されることを特徴とする。
【発明の効果】
【００２７】
上記問題点を解決するための本発明によると、次のような効果がある。
【００２８】
第一、反射偏光シートの上面にパーティクルが備えられたコーティング層を備えて反射偏光シートを通過した光が拡散されることにより、反射偏光シートと集光シートの接合面によって形成される周期的パターンによって発生されるモアレ現象を低減することができる利点がある。
【００２９】
第二、反射偏光シートを透過した光のカラーがシフトされることを低減させられる利点がある。
【００３０】
第三、反射偏光シートの上部にパーティクルが備えられたコーティング層が備えられ、パーティクルによって光が拡散されることにより、反射偏光シートと集光シートに形成された構造化パターンの接合時、端部が消失して接合面による集光効率の減少を最小化することができる利点がある。
【００３１】
本発明の効果は、上記言及した効果に制限されるものではなく、言及されていない別の効果は特許請求の範囲の記載から当業者に明確に理解できる。
【図面の簡単な説明】
【００３２】
【図１】本発明による反射偏光モジュールが備えられたバックライトユニットの構成を概略的に示した分解斜視図
【図２】図１のバックライトユニットで反射偏光モジュールと光学モジュールの構成を概略的に示した図面
【図３】図１のバックライトユニットで反射偏光シートが入射された光を透過反射させることを示した図面
【図４】図１の反射偏光シートでコーティング層内部のパーティクルが第１単位集光体の第１幅より相対的に小さく形成された状態を示した図面
【図５】図１の反射偏光モジュールでコーティング層に別途拡散パターンが形成された状態を示した図面
【図６】図１のバックライトユニットで反射偏光シートの下面に別途接着層が形成された状態を示した図面
【図７】図６の反射偏光モジュールの側面を示した図面
【図８】図６の反射偏光シートの下面に形成された接着層に別途の接合パターンが形成された状態を示した図面
【図９】図１の反射偏光モジュールで各第１単位集光体の垂直の高さが不均一に形成された状態を示した図面
【図１０】図１の反射偏光モジュールで第１単位集光体の延長方向による各々の高さが変化する形態について示した図面
【発明を実施するための形態】
【００３３】
以下、本発明の目的を具体的に実現できる本発明の好ましい実施例について添付図面を参照にして説明する。本実施例を説明するにあたり、同じ構成に対しては同じ名称及び同じ符号を用いて、これによる付加的な説明は省略する。
【００３４】
以下の説明において、本発明の一実施例による反射偏光モジュールを備えたバックライトユニットは、ＬＣＤやＬＥＤパネルなどの平板液晶ディスプレイ装置に適用されることを例えて説明する。しかし、本発明は必ずこれに限定されるのではなく、光学シート単独で使われてもよく、液晶ディスプレイ装置ではない他の器具に適用されるバックライトユニットであってもよく、照明器具など光の特性及び経路を変化させる装置であれば、いずれにも適用されてもよい。
【００３５】
＜構成＞
先ず、図１ないし図４を参照して本発明の実施例による反射偏光モジュールが適用されたバックライトユニットの概略的構成について見ると、次のとおりである。
【００３６】
図１は、本発明による反射偏光モジュールが備えられたバックライトユニットの構成を概略的に示した分解斜視図で、図２は、図１のバックライトユニットにおける反射偏光モジュールと光学モジュールの構成を概略的に示した図面である。
【００３７】
そして、図３は、図１のバックライトユニットで反射偏光シートが入射された光を透過反射することを示した図面で、図４は、図１の反射偏光シートでコーティング層の内部のパーティクルが第１単位集光体の第１幅より相対的に小さく形成された状態を示した図面である。
【００３８】
図１に図示されたように、液晶ディスプレイ装置を構成するにあたり、液晶パネルに光を提供するバックライトユニット（ＢＬＵ：Ｂａｃｋ Ｌｉｇｈｔ Ｕｎｉｔ）が必須的に備えられなければならない。このようなバックライトユニットは、大きく光源１００、導光板２００、反射板５００、光学モジュール３００及び反射偏光モジュール４００を含む。
【００３９】
上記光源１００は、一般的に上記導光板２００の側部で光を発生させ、上記導光板２００に光を伝達する。このような光源１００としては、ＬＥＤ（Ｌｉｇｈｔ Ｅｍｉｔｔｉｎｇ Ｄｉｏｄｅ）及び冷陰極管（Ｃｏｌｄ Ｃａｔｈｏｄｅ Ｆｌｕｏｒｅｓｃｅｎｔ Ｌａｍｐ：ＣＣＦＬ）などが選択的に使われてもよい。
【００４０】
上記導光板２００へ入射された光は、導光板２００の内部で全反射を起こしながら進み、臨界角より小さい角度の入射角で導光板２００の表面に入射される光は全反射されずに透過されるので、上側と下側に放出される。このとき、上記反射板５００は下側へ放出された光を反射し、導光板２００へ再入射させて光効率を向上させる。このような過程を通して、上記導光板２００は入射された光を上記光学モジュール３００の方向へ伝達させる。
【００４１】
上記光学モジュール３００は、上記導光板２００の上部に配置されて上記導光板２００から伝達される光を拡散させ、拡散された光を再び集光して上部へ伝達する構成であって、拡散シート３１０及び第２集光シート３２０を含む。
【００４２】
上記拡散シート３１０は、上記導光板２００の上部に配置されて光を拡散させ、上記第２集光シート３２０へ均一に伝達されるようにする。
【００４３】
具体的に、上記拡散シート３１０は、下部に備えられた上記導光板２００及び上記反射板５００を通して上部へ伝達される光を均一に拡散し、上部に位置した上記第２集光シート３２０に伝達する構成であって、上面または下面に不均一な拡散パターンが形成されて光を拡散させる。
【００４４】
上記第２集光シート３２０は、上記拡散シート３１０の上部に結合され、上部へ行くほど横断面積が減少する第２単位集光体３２２ａが連続的に繰り返される第２構造化パターン３２２を有する。
【００４５】
本発明における上記第２集光シート３２０は、大きく第２ベースフィルム３２４及び第２構造化パターン３２２を含む。
【００４６】
上記第２ベースフィルム３２４は、下部から入射される光が容易に透過できるように光透過性フィルムが使われることが一般的である。上記第２ベースフィルム３２４の上面には、入射された光を屈折及び集光させる上記第２構造化パターン３２２が上記第２ベースフィルム３２４と一体化するように形成される。
【００４７】
上記第２構造化パターン３２２は、上記第２ベースフィルム３２４の上面で連続的に繰り返され、上部方向に突出して上部へ行くほど横断面積が小さくなる傾斜面が形成された複数個の上記第２単位集光体３２２ａで構成される。
【００４８】
上記第２単位集光体３２２ａは、上記第２ベースフィルム３２４を透過した光を屈折及び集光させて上部へ伝達する。
【００４９】
ここで、上記第２構造化パターン３２２は、三角形状の上下断面が一方向に沿って延長されるように形成された複数個のプリズム形象を含む。
【００５０】
このとき、上記第２単位集光体３２２ａは複数個で構成され、それぞれが同じ大きさ及び形象を有してもよく、これと違って相互異なる大きさ及び傾斜面の傾斜角度を有するように構成されてもよい。
【００５１】
また、上記第２単位集光体３２２ａは傾斜面が二重で構成され、それぞれが相互異なる傾斜角度を有するように上下方向による断面形象が多角形形態で形成されてもよい。
【００５２】
本実施例における上記第２単位集光体３２２ａは、上記第２集光シート３２０の上面に沿って一方向に長く延長して形成され、複数個が連続して配置される。
【００５３】
このように、上記光学モジュール３００は、上記導光板２００及び上記反射板５００を通して伝達される光を拡散させる上記拡散シート３１０、及び上記拡散シート３１０の上部に配置され、拡散された光を上部に集光させて伝達する上記第２集光シート３２０を含み、下部から伝達される光を上部で集光させて伝達する。
【００５４】
一方、上記反射偏光モジュール４００は、上述した上記光学モジュール３００の上部から積層形態で配置され、下部へ伝達される光を集光及び偏光させて均一に光を上部へ伝達する構成であって、本発明では大きく反射偏光シート４２０、第１集光シート４１０及びコーティング層４３０を含む。
【００５５】
上記反射偏光シート４２０は、上述した上記光学モジュール３００で集光されて伝達される光の中で、特定偏光の光だけを透過させ、残りは再び下部へ反射させる構成であって、上記光学モジュール３００の上部に積層して結合される。
【００５６】
一般に、上記反射偏光シート４２０は多層のレイヤードで構成されたスタックで特定偏光の光を反射する反射性偏光板またはミラーとして動作することができる。また、可視光線は反射し、赤外線は通過させる「コールドミラー」、可視光線は通過させて赤外線は反射する「ホットミラー」のような波長選択性反射鏡として機能することもできる。
【００５７】
本発明に使われたような上記反射偏光シート４２０は、正常の光線はもとより、オフ角でも高反射率で、入射光線に対しては低い吸収率を示す。このような特性は、通常、上記反射偏光シート４２０が光の単純な反射または反射性偏光に使われるかの可否を決定する。
【００５８】
このような上記反射偏光シート４２０は、相互異なる高屈折率フィルムと低屈折率フィルムが数十、数百または数千個のレイヤーが積層して構成される。
【００５９】
このように構成された本発明において、上記反射偏光シート４２０は図３に図示されたように、上記反射偏光シート４２０に向かう光は相互異なる偏光の光が混合された状態で、上記反射偏光シート４２０が透過させる領域の偏光を有するＰ１の光と、上記反射偏光シート４２０が透過させない領域の偏光を有するＰ２の光で構成される。
【００６０】
図示されたように、上記第１集光シート４１０及び上記第２集光シート３２０を通過した光はＰ１及びＰ２の混合状態であるが、上記反射偏光シート４２０はＰ１の光だけ透過させてＰ２の光は再び下部方向に反射させる。
【００６１】
そして、Ｐ１の光は外部へ放出されるがＰ２の光は反射されて下部へ戻り、再度上記第１集光シート４１０、上記第２集光シート３２０、上記導光板２００及び上記反射板５００などによって反射され、再び上部へ移動する。この過程を通してＰ２の光は偏光状態が変わるようになり、このような繰り返しによって上記反射偏光シート４２０が透過させるに適する偏光状態へと変換される。
【００６２】
一方、本発明による上記コーティング層４３０は、上記反射偏光シート４２０の上面に位置し、上記反射偏光シート４２０を透過して伝達される光を拡散させる構成であって、内部へ複数個の上記パーティクル４３２を有する。
【００６３】
ここで、上記パーティクル４３２は、多様な形態で形成され、上記コーティング層４３０と異なる材質で構成されて、上記反射偏光シート４２０を透過した光を拡散させるように構成される。
【００６４】
上記パーティクル４３２は複数個で構成されて上記コーティング層４３０の内部に含まれるし、上記コーティング層４３０の内部で不均一に配置される。ここで、上記パーティクル４３２は上記コーティング層４３０と異なる素材または異なる屈折率を有するように構成される。
【００６５】
これによって、上記反射偏光シート４２０を透過して伝達される光を安定的に拡散させる。
【００６６】
本実施例における上記パーティクル４３２は、球状で形成されて多様な角度で光を反射または屈折させることにより、上記反射偏光シート４２０を透過して伝達される光を拡散させるように構成される。
【００６７】
これと異なり、上記パーティクル４３２は、球状ではなく、多様な形態の多角形や、非対称的形態で形成されてもよい。
【００６８】
一方、上記第１集光シート４１０は、上部へ行くほど横断面積が減少する上記第１単位集光体４１２ａが連続的に繰り返される上記第１構造化パターン４１２を有するように構成され、上記第２集光シート３２０の上面に配置される。
【００６９】
そして、上記第２集光シート３２０で集光して伝達される光を再び集光して上部へ伝達するように構成される。
【００７０】
このとき、上記第１単位集光体４１２ａは、上述した上記第２単位集光体３２２ａと同一に形成されてもよく、これと異なるように形成されてもよい。
【００７１】
本発明において、上記第１集光シート４１０は、上述した上記第２集光シート３２０と類似するように、上記第１ベースフィルム４１４及び上記第１構造化パターン４１２を含んで構成される。
【００７２】
ここで、上記第１構造化パターン４１２は、上記反射偏光シート４２０の下部に配置され、上記第１ベースフィルム４１４の上面に形成されている。
【００７３】
このように形成された上記第１集光シート４１０は、上記反射偏光シート４２０の下部に積層形態で配置され、上記第１単位集光体４１２ａのうち、少なくとも一部が上記反射偏光シート４２０と接合される。
【００７４】
これによって、上記第１集光シート４１０と上記反射偏光シート４２０が接着状態を維持して安定的に接合される。
【００７５】
一方、本実施例において、それぞれの上記第１構造化パターン４１２及び上記第２構造化パターン３２２は、横方向に沿って長く延長して形成されるし、上記第１構造化パターン４１２の延長方向は、上記第２構造化パターン３２２の延長方向と交差する方向に配置される。
【００７６】
本実施例において、上記第１構造化パターン４１２と上記第２構造化パターン３２２の延長方向が垂直に交差するように配置され、これと違い、垂直ではなく単純に交差する方向にも配置されてもよい。
【００７７】
これによって、上記拡散シート３１０から拡散されて上部へ伝達される光は、上記第１単位集光体４１２ａ及び上記第２単位集光体３２２ａを経由して安定的に集光されてもよい。
【００７８】
一方、本発明による上記第１集光シート４１０は、上記第１構造化パターン４１２の上側端部が上記反射偏光シート４２０の下部で横方向に第１幅を有するように接合される。
【００７９】
具体的に、上記第１単位集光体４１２ａは上記反射偏光シート４２０の下面に接合され、接合時に上側端部の一部が消失して接合される。
【００８０】
このとき、上記第１単位集光体４１２ａの消失された上側端部の横方向による幅が第１幅を有するように構成される。
【００８１】
すなわち、上記第１単位集光体４１２ａが上記反射偏光シート４２０の下面に接合された後、接合された部分の横方向の長さが上記第１幅になるように接合される。
【００８２】
本実施例における上記第１単位集光体４１２ａは、図示されたように上記反射偏光シート４２０の下面に直接接合されるし、接合時に上側端部が消失されて接着剤の役割をする。このとき、上記反射偏光シート４２０の下面に接合された部分の上記第１幅はＬ１になる。
【００８３】
これと同時に、上述した上記コーティング層４３０の内部に備えられた上記パーティクル４３２は、複数個のうち、少なくとも一部の直径が上記第１幅より相対的に小さく構成される。
【００８４】
本実施例では、図示されたように、上記パーティクル４３２の最大直径がＬ２として、上記第１幅であるＬ１より相対的に小さく構成される。
【００８５】
ここで上記パーティクル４３２は、ビーズのような拡散粒子が高分子樹脂に拡散された結果であってもよく、拡散粒子の一部分は高分子樹脂の内部に埋め込まれ、残り部分だけ露出した形態で形成されてもよい。
【００８６】
このように、上記パーティクル４３２の最大直径が上記第１幅L１より相対的に小さく構成され、これによって上記第１単位集光体４１２ａを通過して上記反射偏光シート４２０に伝達された光が上記パーティクル４３２で上部方向に屈折されることで、輝度が低下することを防止することができる。
【００８７】
具体的に、上記パーティクル４３２の最大直径Ｌ２が上記第１幅であるＬ１より大きい場合、上記第１単位集光体４１２ａで屈折された光の角度が上記パーティクル４３２によってより大きい角度で屈折されることにより、中心ではなくサイドへと光が屈折される。
【００８８】
これによって、上記コーティング層４３０を通過する光の輝度が全体的に減少する。
【００８９】
しかし、本出願発明のように、上記パーティクル４３２の最大直径であるＬ２が上記第１幅であるＬ１より小さく形成されることで、上記第１単位集光体４１２ａで屈折して伝達される光が上記パーティクル４３２によって上部方向へと光が拡散する。
【００９０】
したがって、上記パーティクル４３２によって上記コーティング層４３０を通過する光は、輝度低下を最小にすると同時に、内部拡散が発生して上記第１単位集光体４１２ａと上記反射偏光シート４２０の接合面によって発生されるモアレ現象などの品質低下を防止することができる。
【００９１】
さらに、上記パーティクル４３２の直径（ｓｉｚｅ）を調節することにより、上記反射偏光シート４２０を通過した光の輝度を調節し、これによってバックライトユニットの輝度低下を改善することができる。
【００９２】
すなわち、上記コーティング層４３０が複数個の上記パーティクル４３２を有して上記反射偏光シート４２０の上面に形成され、上記パーティクル４３２の直径が上記第１幅より相対的に小さく形成されることで、上記コーティング層４３２を通過する光が中心ではなくサイドへ拡散することを防止して輝度が低減されることを防止することができる。
【００９３】
このように構成された本発明のバックライトユニットは、上述した上記反射板５００、上記導光板２００、上記光学モジュール３００及び上記反射偏光モジュール４００の順にそれぞれ積層して結合され、上記光源１００から発生された光を安定的に拡散及び集光して伝達することができるし、上記反射偏光シート４２０を通過した光は、上記パーティクル４３２によって中心部へ拡散することができる。
【００９４】
＜効果＞
一方、上述したように、上記コーティング層４３０内に上記パーティクル４３２が備えられることによって、上記第１集光シート４１０及び反射偏光シート４２０を通過した光を一定角度で拡散させ、接合ラインなどの品質低下に問題となる欠陷（ｄｅｆｅｃｔ）を遮蔽する。
【００９５】
一般的に、上記第１集光シート４１０と上記反射偏光シート４２０が接合されることによって、上記第１単位集光体４１２ａの上側端部の一部が消失し、これによって下部へ伝達される光を屈折させる傾斜面の部材によって光が集光されない部分が発生する。
【００９６】
これによってバックライトユニットを利用した液晶ディスプレイ装置でモアレ現象やカラーシフト及び接合ラインによる陰影などが発生してディスプレイの品質を低下させる。
【００９７】
しかし、本発明による上記反射偏光モジュール４００のように、複数個の上記パーティクル４３２が備えられた上記コーティング層４３０を上記反射偏光シート４２０の上面に位置させることで、上記第１集光シート４１０とともに上記パーティクル４３２が下部へ伝達される光を一定の角度で集光及び拡散させることができる。
【００９８】
すなわち、上記光学モジュール３００から伝達される光が上記第１単位集光体４１２ａと上記反射偏光シート４２０の下面が接着することによって発生する接合面によって一部が集光されなくても、上記コーティング層４３０に備えられた上記パーティクル４３２によって拡散され輝度の低下を防止することができる。
【００９９】
そして、このように上記コーティング層４３０に上記パーティクル４３２が備えられることによって、上記コーティング層４３２を通過する光が中心ではなくサイドへ拡散することを防止し、輝度が低減することを防止することができる。
【０１００】
ここで、上述したように、複数個の上記パーティクル４３２の中で最大の大きさの上記パーティクル４３２の直径が上記第１幅より相対的に小さく形成されることが好ましく、これによって上記第１単位集光体４１２ａと上記反射偏光シート４２０を通して接合面による陰影が発生しないように光を安定的に拡散させることができる。
【０１０１】
このように、上記パーティクル４３２の直径が上記第１幅より小さく形成されることで、上記第１単位集光体４１２ａと上記反射偏光シート４２０の接合面の上部に少なくとも一つ以上の上記パーティクル４３２が配置され、これによって安定的に光を拡散させることができる。
【０１０２】
勿論、上記パーティクル４３２の直径が上記第１幅より相対的に小さく形成されると同時に、上記コーティング層４３０の内部で多様な大きさを有することができ、上記コーティング層４３０を製作する際に、その大きさを調節して輝度を調節することもできる。
【０１０３】
このように、上記コーティング層４３０に上記パーティクル４３２が備えられ、上記第１幅より相対的に小さい直径を有することで、上記第１集光シート４１０で上記反射偏光シート４２０との接合面によって集光されていない光を拡散させることができる。また、これによって上記第１集光シート４１０及び反射偏光シート４２０を通過した光を一定角度で拡散させて液晶ディスプレイ装置に縞模様などが発生するモアレ現象やカラーシフト現象が発生することを防止することができる。
【０１０４】
また、反射偏光シート４２０の上部にパーティクル４３２が備えられたコーティング層４３０が備えられ、パーティクル４３２によって光が拡散することで、反射偏光シート４２０と第１集光シート４１０に形成された第１構造化パターン４１２の接合時に端部が消失して接合面による集光効率の減少を低下することができる利点がある。
【０１０５】
＜変形例＞
次に、図５を参照して本発明による上記コーティング層４３０の変形された形態について見ると、次のとおりである。
【０１０６】
図５は、図１の反射偏光モジュール４００において、上記コーティング層４３０に別途の上記拡散パターン４３４が形成された状態を示した図面である。
【０１０７】
図示された図面を見ると、上述したように上記反射偏光シート４２０の上面に上記パーティクル４３２が備えられた上記コーティング層４３０に別途の上記拡散パターン４３４がさらに形成される。
【０１０８】
具体的に、上記拡散パターン４３４は上記コーティング層４３０の上面に突出して形成されて複数個で構成されるし、不均一なパターンを有するように構成される。
【０１０９】
本実施例における上記拡散パターン４３４は、図示されたように、一般的な球状の突起で形成され、不規則的に上記コーティング層４３０の上面に配列される。このとき、上記拡散パターン４３４の大きさは均一ではなく、不均一な大きさを有し、それぞれの横方向による幅が上述した第１幅より相対的に小さく形成される。
【０１１０】
このように上記拡散パターン４３４が上記コーティング層４３０の上面に形成されることによって、上記第１集光シート４１０で集光されず、上記反射偏光シート４２０を透過して伝達される光を上記パーティクル４３２と共に拡散させることができる。
【０１１１】
ここで、突起形態で形成された上記拡散パターン４３４の横方向による最大大きさのＬ３が上記第１幅であるＬ１より相対的に小さく形成されることで、上記第１構造化パターン４１２と上記反射偏光シート４２０の下面の接着によって発生する接合面を通して集光されずに透過される光を拡散させることができる。
【０１１２】
本実施例による上記コーティング層４３０で上記拡散パターン４３４はマスターを利用して複製する方法で形成されてもよく、別途の加工ロールを利用して形成されてもよい。
【０１１３】
次いで、図６ないし図８を参照して本発明による上記反射偏光モジュール４００で別途の上記接着層４４０がさらに含まれた状態を見ると、次のとおりである。
【０１１４】
図６は、図１のバックライトユニットで上記反射偏光シート４２０の下面に別途の上記接着層４４０が形成された状態を示した図面で、図７は、図６の反射偏光モジュール４００の側面を示した図面で、図８は、図６の上記反射偏光シート４２０の下面に形成された上記接着層４４０に別途の上記接合パターン４４２が形成された状態を示した図面である。
【０１１５】
先ず、図６及び図７を見ると、本発明のバックライトユニットで別途の上記接着層４４０がさらに含まれた状態を示したもので、上記反射偏光シート４２０の上面に上記コーティング層４３０が形成されると同時に、上記反射偏光シート４２０の下面に上記接着層４４０が形成される。
【０１１６】
具体的に、上記接着層４４０は上記反射偏光シート４２０の下面で一部または全体に位置することができ、均一な厚さまたは不均一な厚さを有することができる。
【０１１７】
本実施例では、上記反射偏光シート４２０の下面に均一な厚さで上記接着層４４０が備えられ、上記第１集光シート４１０に形成された上記第１構造化パターン４１２の上側端部が上記接着層４４０の内部に埋め込まれる。
【０１１８】
ここで、上記反射偏光シート４２０の下面に位置した上記接着層４４０の内部に埋め込まれる上記第１単位集光体４１２ａの上側端部が、上記接着層４４０と横方向に第２幅の境界面を有する分、埋め込まれることが好ましい。
【０１１９】
すなわち、上記第１単位集光体４１２ａが上記接着層４４０の内部に埋め込む時、埋め込まれた部分の横方向の長さが上記第２幅であるＬ３となり、上記コーティング層４３０内に含まれた上記パーティクル４３２の直径の大きさであるＬ２より相対的に小さく形成される。
【０１２０】
これによって、上記接着層４４０の内部に上記第１単位集光体４１２ａが埋め込まれることによって、接合面が発生しても下部から伝達される光は上記拡散パターン４３４または上記パーティクル４３２によって拡散される。
【０１２１】
このように上記反射偏光モジュール４００に別途の上記接着層４４０がさらに備えられることによって、上記第１集光シート４１０と上記反射偏光シート４２０の接着面積が増加して接着力が高まり、これによってより安定的に上記第１集光シート４１０と上記反射偏光シート４２０の接着状態を維持することができる。
【０１２２】
そして、上記接着層４４０は上記第１集光シート４１０と同じ素材で構成されてもよく、これと違って屈折率が相互異なる素材で構成されてもよい。
【０１２３】
一方、これと違って、図８を見ると、上記接着層４４０に不均一な複数個の上記接合パターン４４２がさらに形成されてもよい。
【０１２４】
ここで、上記接合パターン４４２は上述した上記拡散パターン４３４と同様、突起形態で下部方向に突出されて複数個が形成され、それぞれの突起の横方向による直径は、上記第２幅であるＬ３より相対的に小さく形成されてもよい。
【０１２５】
このように上記接着層４４０に上記接合パターン４４２が形成されることによって、上述したように上記第１単位集光体４１２ａが埋め込まれる部分によって、接合面が発生しても下部へ伝達する光は上記拡散パターン４３４または上記パーティクル４３２によって拡散され、これと共に上記第１単位集光体４１２ａの一部だけ上記接着層４４０の内部に埋め込まれることによって傾斜面の消失を最小化し、光の集光効果を増加することができる。
【０１２６】
一方、図面に図示されていないが、本実施例で上記パーティクル４３２は、上記コーティング層４３０だけでなく上記接着層４４０の内部にも複数個が備えられ、上記第１集光シート４１０で集光された光を拡散するように構成されてもよい。
【０１２７】
次に、図９及び図１０を参照して、本発明による上記反射偏光モジュール４００で上記第１構造化パターン４１２の変形された形態について見ると、次のとおりである。
【０１２８】
図９は、図１の反射偏光モジュール４００で上記第１構造化パターン４１２が複数個の第１単位集光体４１２ａそれぞれの垂直高さが不均一に形成された状態を示した図面で、図１０は、図１の反射偏光モジュール４００で上記第１単位集光体４１２ａの延長方向によるそれぞれの高さが変化する形態について示した図面である。
【０１２９】
先ず、図９を見ると、上記第１単位集光体４１２ａは、上述したものと違い、複数個が上記第１ベースフィルム４１４の上面に沿って複数個が離隔して配置される。ここで、図示されていないが、複数個の上記第１単位集光体４１２ａの各々は、上記第１ベースフィルム４１４の上面を互いに離隔して配置される。
【０１３０】
このとき、図示されたように、複数個の上記第１単位集光体４１２ａは最下端部から最上端部に至る垂直距離が不均一に構成される。
【０１３１】
このように複数個の上記第１単位集光体４１２ａが均一でない上下方向の高さを有するように構成されることにより、上記第１ベースフィルム４１４と上記反射偏光シート４２０の接合時、複数個の上記第１単位集光体４１２ａの中で一部だけ上記反射偏光シート４２０に接合され、残りは接合されない。
【０１３２】
このように上記第１単位集光体４１２ａの一部だけ上記反射偏光シート４２０の下面に接合されることによって、上記第１集光シート４１０で傾斜面の消失が少なくなるので、上記光学モジュール３００から伝達される光の集光効果の減少を最小化することができる。
【０１３３】
次に、図１０を見ると、上記第１ベースフィルム４１４の上面に上記第１単位集光体４１２ａが変形された形態を示したものであって、複数個の上記第１単位集光体４１２ａが上記第１ベースフィルム４１４の上面に沿って長く延長して形成され、それぞれが横方向に沿って繰り返して配置される。
【０１３４】
この時、複数個の上記第１単位集光体４１２ａは延長方向に沿って高さが不均一に形成され、一部だけ上記反射偏光シート４２０の下面に接合するように構成される。
【０１３５】
すなわち、複数個の上記第１単位集光体４１２ａは、一定したパターンを有して均一に離隔して配置され、それぞれの上記第１単位集光体４１２ａは延長方向に沿って不均一な高さを有するように形成されることで、一つの上記第１単位集光体４１２ａで一部だけ上記反射偏光シート４２０の下面に接合される形態となる。
【０１３６】
この時、それぞれの上記第１単位集光体４１２ａの高さは、一定した周期Ｐを有しながら変化されてもよいが、高さが延長方向に沿って不規則に変化されてもよい。
【０１３７】
以上のように、本発明による好ましい実施例を察してみたが、前述した実施例の他にも本発明がその趣旨や範疇から脱することがなく、他の特定形態で具体化されるという事実は、当該技術に通常の知識を有する者には自明なものである。したがって、上述した実施例は、制限的ではなく例示的なものとして思われなければならないし、これによって本発明は上述した説明に限定されず、添付の請求項の範疇及びそれ同等の範囲内で変更されてもよい。
【図１】
0006745819.tif 000002
【図２】
0006745819.tif 000003
【図３】
0006745819.tif 000004
【図４】
0006745819.tif 000005
【図５】
0006745819.tif 000006
【図６】
0006745819.tif 000007
【図７】
0006745819.tif 000008
【図８】
0006745819.tif 000009
【図９】
0006745819.tif 000010
【図１０】
0006745819.tif 000011